(57)【要約】【課題】屋根架構の高さが仮設支柱の設置場所によって異なっても、この屋根架構の高さの変化に容易に対応できる仮設支柱を提供すること。【解決手段】仮設支柱２０は、屋根架構１３を仮支持するものであり、高さを調整可能な高さ調整部１９と、高さ調整部１９の上に設けられたタワークレーンのマスト２１と、マスト２１の頂部に設置されて屋根架構１３を支持する昇降可能な昇降受け台２２と、を備える。本発明によれば、屋根架構１３の高さが仮設支柱２０の設置場所によって異なっても、高さ調整部１９の高さを適宜調整することで、この屋根架構１３の高さの変化に容易に対応できる。【選択図】図７
2018178481.tif 000002
【特許請求の範囲】
【請求項１】
屋根架構を仮支持する仮設支柱であって、
高さを調整可能な高さ調整部と、
当該高さ調整部の上に設けられた仮設柱体と、
当該仮設柱体の頂部に設置されて前記屋根架構を支持する昇降可能な昇降受け台と、を備えることを特徴とする仮設支柱。
【請求項２】
前記昇降受け台の上面に架設されたジャッキ受け梁と、
当該ジャッキ受け梁の上に配置されて前記屋根架構を支持するジャッキと、をさらに備え、
前記高さ調整部は、調整部本体と、当該調整部本体に昇降可能に設けられた昇降部と、を備えることを特徴とする請求項１に記載の仮設支柱。
【請求項３】
屋根架構の構築方法であって、
当該屋根架構は、基部と、当該基部から延びる先端部と、を備え、
地盤上の構造体に、請求項１または２に記載の仮設支柱を設置する第１工程と、
当該仮設支柱に仮支持させて前記基部を構築する第２工程と、
地盤上で、前記先端部の上に仮設トラスを取り付けて、この状態で、当該先端部および前記仮設トラスを揚重機で吊り上げて、前記仮設トラスを前記基部の上に仮固定し、その後、前記先端部を前記基部に接合する第３工程と、
前記仮設支柱を構成する昇降受け台を前記仮設柱体に沿って下降させる第４工程と、
前記昇降受け台が下降した状態で前記仮設支柱を揚重機で吊り上げて撤去する第５工程と、を備えることを特徴とする屋根架構の構築方法。
【発明の詳細な説明】
【技術分野】
【０００１】
本発明は、屋根架構を構築する際に、組み立て途中の屋根架構を仮支持するための仮設支柱と、その仮設支柱を使用した屋根架構の構築方法に関する。
【背景技術】
【０００２】
従来より、大空間を覆う屋根架構等を組み立てる際、組み立て途中の屋根架構を仮設支柱（ベント）などで仮支持する場合がある。
特許文献１には、昇降装置を支持ベントで支持し、昇降装置を伸長させて塔体を上昇させ、上昇させた塔体の下方に塔体構成部材を挿入して、塔体と塔体構成部材とを結合する上昇第１段階と、昇降装置を塔体で支持し、昇降装置を縮小して支持ベントを上昇させ、上昇させた支持ベントの下方に支持ベント構成部材を挿入して、支持ベントと支持ベント構成部材とを結合する上昇第２段階とからなり、上昇第１段階と上昇第２段階とを交互に繰り返すことで塔体を架設する方法が示されている。
【０００３】
特許文献２には、自走式搬送台車上に複数の昇降用架台を介して構造物を載置する第１工程と、自走式搬送台車により構造物を支持部材間に移動させ、構造物の長手方向中央部を支持部材間の中央に位置させる第２工程と、仮設架台が載置された自走式搬送台車を構造物の幅方向両側に配置し、各仮設架台に設けられた引き上げジャッキにより昇降用架台を引き上げる第３工程と、構造物の底部が支持部材の上方に位置するまで自走式搬送台車を旋回移動させる第４工程と、構造物を支持部材の上に載せる第５工程と、を有する構造物の架設方法が示されている。
【０００４】
仮設費用を削減するため、仮設支柱を転用して繰り返し使用することがある。しかし、屋根架構の高さが仮設支柱の設置場所によって異なる場合、仮設支柱の高さを屋根架構の高さに応じて調整する必要がある。上述の特許文献１、２では、支持ベントや仮設架台の高さを調整する構成は示されていない。
【先行技術文献】
【特許文献】
【０００５】
【特許文献１】特開２００８−７９８５号公報
【特許文献２】特開２０１２−１３６３３９号公報
【発明の概要】
【発明が解決しようとする課題】
【０００６】
本発明は、屋根架構の高さが仮設支柱の設置場所によって異なっても、この屋根架構の高さの変化に容易に対応できる、仮設支柱および屋根架構の構築方法を提供することを目的とする。
【課題を解決するための手段】
【０００７】
本発明者らは、屋根架構を仮支持するための仮設支柱として、高さを調整可能な高さ調整部を設置し、その高さ調整部の上面に仮設柱体を配置して、その仮設柱体の頂部に昇降可能な昇降受け台を設けて屋根架構を支持させることで、屋根架構の高さが設置場所により異なっていても、高さ調整部を昇降させることで、屋根架構を仮設柱体で支持できる点に着眼し、本発明の仮設支柱、およびその仮設支柱を使用した屋根架構の構築方法を発明するに至った。
【０００８】
第１の発明の仮設支柱は、屋根架構（例えば、後述の屋根架構１３）を仮支持する仮設支柱（例えば、後述の仮設支柱２０）であって、高さを調整可能な高さ調整部（例えば、後述の高さ調整部１９）と、当該高さ調整部の上に設けられた仮設柱体（例えば、後述のタワークレーンのマスト２１）と、当該仮設柱体の頂部に設置されて前記屋根架構を支持する昇降可能な昇降受け台（例えば、後述の昇降受け台２２）と、を備えることを特徴とする。
【０００９】
この発明によれば、高さ調整部および仮設柱体を設置し、この仮設柱体の頂部に昇降受け台を設置する。その後、この昇降受け台に支持させて、屋根架構を構築する。このとき、仮設支柱の設置場所によって屋根架構の高さが異なっても、高さ調整部の高さを適宜調整することで、屋根架構の高さの変化に容易に対応できる。また、高さ調整部により仮設支柱が高さ調整可能となるので、仮設支柱を容易に移設して再利用できる。
また、仮設支柱を移設する際には、仮設柱体頂部に設置された昇降受け台を下降させ、屋根架構と仮設柱体頂部との間に隙間空間を確保することで、隙間空間に揚重機のブームの先端部を挿入して、仮設支柱を構成する仮設柱体を吊り上げて撤去できる。
また、予め架設された屋根架構であっても、仮設柱体に沿って昇降受け台を上昇させることで、屋根架構を下から仮設支柱で支持できる。
【００１０】
第２の発明の仮設支柱は、前記昇降受け台の上面に架設されたジャッキ受け梁（例えば、後述のジャッキ受け梁２５）と、当該ジャッキ受け梁の上に配置されて前記屋根架構を支持するジャッキ（例えば、後述のジャッキ２６）と、をさらに備え、前記高さ調整部は、調整部本体（例えば、後述のベントベース９０）と、当該調整部本体に昇降可能に設けられた昇降部（例えば、後述のベントキャップ９１）と、を備えることを特徴とする。
【００１１】
この発明によれば、仮設柱体の頂部に昇降受け台を配置し、その昇降受け台の上面にジャッキ受け梁およびジャッキを設置する。その後、このジャッキに支持させて屋根架構を構築する。また、調整部本体と昇降部とを含んで高さ調整部を構成したので、昇降部を調整部本体に対して昇降させることで、高さ調整部の上の仮設柱体の高さを容易に調整できる。
【００１２】
第３の発明の屋根架構の構築方法は、屋根架構の構築方法であって、当該屋根架構は、基部（例えば、後述の支持部１４および第１ユニットＵ１）と、当該基部から延びる先端部（例えば、後述の第２ユニットＵ２および第３ユニットＵ３）と、を備え、地盤上の構造体（例えば、後述の構造体１１）に、請求項１または２に記載の仮設支柱を設置する第１工程（例えば、後述のステップＳ１）と、当該仮設支柱に仮支持させて前記基部を構築する第２工程（例えば、後述のステップＳ２）と、地盤上で、前記先端部の上に仮設トラス（例えば、後述の仮設トラス１７）を取り付けて、この状態で、当該先端部および前記仮設トラスを揚重機で吊り上げて、前記仮設トラスを前記基部の上に仮固定し、その後、前記先端部を前記基部に接合する第３工程（例えば、後述のステップＳ３）と、前記仮設支柱を構成する昇降受け台を前記仮設柱体に沿って下降させる第４工程（例えば、後述のステップＳ５、Ｓ１１〜Ｓ１４）と、前記昇降受け台が下降した状態で前記仮設支柱を揚重機で吊り上げて撤去する第５工程（例えば、後述のステップＳ５、ステップＳ１５）と、を備えることを特徴とする。
【００１３】
この発明によれば、先端部を地組みしておき、この地組みした先端部を揚重して基部に取り付けたので、屋根架構を短工期で構築できる。また、このとき、屋根架構の基部と先端部とに跨がって仮設トラスを取付けたので、基部の撓みが大きくなるのを防止して、屋根架構の施工精度を向上できる。
また、高さ調整部により仮設支柱が高さ調整可能となるので、仮設支柱を容易に移設して再利用できる。
【発明の効果】
【００１４】
本発明によれば、仮設支柱の設置場所によって屋根架構の高さが異なっても、高さ調整部の高さを適宜調整することで、屋根架構の高さの変化に容易に対応できる。
【図面の簡単な説明】
【００１５】
【図１】本発明の一実施形態に係る仮設支柱を用いて構築された競技場の平面図である。
【図２】図１のＡ−Ａ断面図である。
【図３】競技場の屋根架構を構築する手順のフローチャートである。
【図４】屋根架構の構築手順の説明図１（屋根先端部分の地組み状況、仮設支柱の設置状況）である。
【図５】屋根架構の構築手順の説明図２（屋根架構の構築状況）である。
【図６】屋根架構の構築手順の説明図３（仮設支柱の設置時より撤去移設時までの手順）である。
【図７】仮設支柱の側面図である。
【図８】仮設支柱の上端部の拡大側面図である。
【図９】仮設支柱の上端部の平面図である。
【図１０】図８のＢ−Ｂ断面図である。
【図１１】図８のＣ−Ｃ断面図である。
【図１２】仮設支柱を構成するガイド部材の側面図および断面図である。
【図１３】仮設支柱を構成する自重受けかんぬきの正面図である。
【図１４】自重受けかんぬきの側面図である。
【図１５】仮設支柱を構成する固定梁の横断面図である。
【図１６】固定梁の側面図である。
【図１７】仮設支柱を構成する昇降受け台を固定梁から切り離す手順の説明図である。
【図１８】仮設支柱を構成する昇降吊り具の正面図である。
【図１９】仮設支柱の撤去手順のフローチャートである。
【図２０】仮設支柱の撤去手順の説明図である。
【図２１】仮設支柱の高さ調整部の縦断面図である。
【図２２】図２１のＤ−Ｄ断面図である。
【図２３】高さ調整部の下降手順のフローチャートである。
【図２４】高さ調整部の下降手順の説明図（その１）である。
【図２５】高さ調整部の下降手順の説明図（その２）である。
【発明を実施するための形態】
【００１６】
本発明の仮設支柱は、仮設構台の上面に、高さを調整可能な高さ調整部を設置し、その高さ調整部の上面に仮設柱体を配置して、当該仮設柱体の頂部に昇降可能な昇降受け台を設けて屋根架構を支持するもので、屋根架構の高さの変化に容易に対応できる。また、屋根架構の構築方法として、屋根架構の下面側を仮設支柱で支持しながら、地組みされた屋根架構の先端部分が取り付けられた仮設トラス体を屋根架構の基部に接合させる。
【００１７】
以下、本発明の一実施形態について、図面を参照しながら説明する。
図１は、本発明の一実施形態に係る仮設支柱を用いて構築された屋根架構１３を備える大空間の競技場１の平面図である。図２は、図１のＡ−Ａ断面図である。
競技場１は、フィールド１０、フィールド１０の周囲の地盤に構築された構造体１１、構造体１１の上に設けられた第１層〜第３層の観覧席１２Ａ〜１２Ｃ、構造体１１に支持されて観覧席１２Ａ〜１２Ｃを覆う平面視で環状のトラス構造の屋根架構１３と、を備える。
【００１８】
フィールド１０は、平面視で略楕円形であり、このフィールド１０上にて、サッカー、陸上競技、その他のイベントが行われる。
【００１９】
以下、屋根架構１３を構築する手順について、図３のフローチャートを参照しながら説明する。
まず、図１に示すように、屋根架構１３を中央で二つのエリアに分割し、さらに、この各エリアを長さ方向に沿って複数のブロックＢ１〜Ｂｎ（ｎは自然数）に分割する。
次に、各ブロックＢ１〜Ｂｎについて、以下のステップＳ１〜Ｓ４を実施する。このとき、ブロックＢ１からＢｎに向かって、ステップＳ１〜Ｓ４を１ステップずつずらして実施する。具体的には、仮設支柱２０を移設して転用しながら、屋根架構１３を構築する（図６参照）。
屋根架構１３は、図２に示すように、構造体１１のフィールド１０とは反対側に設けられた基部としての支持部１４と、支持部１４から延びる基部としての第１ユニットＵ１と、第１ユニットＵ１から延びる先端部としての第２ユニットＵ２と、第２ユニットＵ２から延びる先端部としての第３ユニットＵ３と、を備える。
【００２０】
ステップＳ１では、図４に示すように、構造体１１上に仮設構台１５を設置し、この仮設構台１５上に仮設支柱２０を設置する。この仮設支柱２０の構造については、後に詳述する。
ステップＳ２では、図４に示すように、当該ブロックＢの屋根架構１３の支持部１４および第１ユニットＵ１の鉄骨建方を行って、仮設支柱２０に仮支持させる。
【００２１】
ステップＳ３では、図４に示すように、フィールド１０上に架台１６を設置し、この架台１６上に第２ユニットＵ２、第３ユニットＵ３、および仮設トラス１７を組み立てて、第２ユニットＵ２と第３ユニットＵ３とを接合するとともに、第２ユニットＵ２の上に仮設トラス１７を仮固定しておく。
仮設トラス１７の両端部には、一対の支点１７１Ａ、１７１Ｂが形成され、中央部には、一対のローラー１７２が形成されている。仮設トラス１７の一方の支点１７１Ａは、第２ユニットＵ２の上に仮固定されている。
次に、一体となった第２ユニットＵ２、第３ユニットＵ３、および仮設トラス１７を揚重機１８で吊り上げて、図５に示すように、仮設トラス１７の他方の支点１７１Ｂを支持部１４の上に仮固定する。この状態で、仮設トラス１７の一方の支点１７１Ａに仮固定された第２ユニットＵ２を、上下方向に高さ調整する。その後、第２ユニットＵ２を第１ユニットＵ１に接合する。これにより、屋根架構１３は、仮設支柱２０に仮支持される。
この状態では、仮設トラス１７の一方の支点１７１Ａは、第２ユニットＵ２の上に仮固定され、他方の支点１７１Ｂは、支持部１４の上に仮固定されている。また、仮設トラス１７の一対のローラー１７２は、第１ユニットＵ１の上に配置される。
【００２２】
ステップＳ４では、屋根架構１３の鉄骨部材の本締めや溶接を行い、屋根架構１３を構築する。
ステップＳ５では、仮設トラス１７および仮設支柱２０を撤去する。この仮設支柱２０を撤去する手順については、後に詳述する。
【００２３】
屋根架構１３の構築では、例えば、図６に示すように、互いに隣接するブロックＢｍ（４≦ｍ≦ｎ）〜Ｂ（ｍ−３）では、以下のような作業が同時に行われる。
すなわち、ブロックＢｍでは、ステップＳ１の仮設支柱２０を設置する。
ブロックＢ（ｍ−１）では、ステップＳ２、Ｓ３の屋根架構１３の鉄骨建方を行う。
ブロックＢ（ｍ−２）では、ステップＳ４の屋根架構１３の鉄骨部材の本締めおよび溶接を行う。
ブロックＢ（ｍ−３）では、ステップＳ５の仮設トラス１７および仮設支柱２０の撤去を行う。
なお、本実施形態では、仮設支柱２０設置した後に、屋根架構１３を構成する支持部１４および第１ユニットＵ１を架設したが、これに限らず、支持部１４および第１ユニットＵ１を架設した後に、仮設支柱２０を設置してもよい。
【００２４】
次に、上述の仮設支柱２０の構造について詳述する。
図７は、仮設支柱２０の側面図である。図８は、仮設支柱２０の上端部の側面図であり、図９は、仮設支柱２０の上端部の平面図である。図１０は、図８のＢ−Ｂ断面図であり、図１１は、図８のＣ−Ｃ断面図である。
【００２５】
仮設構台１５は、図７に示すように、観覧席１２Ｂの下端側に設けられた構台支柱１５１と、一端側が構台支柱１５１に支持されて他端側が観覧席１２Ｂの上端側に支持されたプレガーター橋である大引材１５２と、を備える。
仮設支柱２０は、図７に示すように、仮設構台１５上に設置されて高さを調整可能な高さ調整部１９と、高さ調整部１９の上に立設された仮設柱体としてのタワークレーンのマスト２１と、このマスト２１の上端に支持されてかつマスト２１に沿って昇降可能な昇降受け台２２と、昇降受け台２２をマスト２１の上端面に仮固定する固定梁２３と、昇降装置により昇降受け台２２を昇降させる昇降用吊り具２４と、昇降受け台２２の上面に架設されたジャッキ受け梁２５と、ジャッキ受け梁２５の上に設置されたジャッキ２６と、を備える。
【００２６】
この仮設支柱２０は、以下の手順で設置される。まず、仮設構台１５上に高さ調整部１９を設置し、仮設支柱２０で支持する屋根架構１３の高さに応じて、この高さ調整部１９の高さを調整する。次に、高さ調整部１９の上にタワークレーンのマスト２１を設置し、このマスト２１体の頂部に昇降受け台２２、固定梁２３、ジャッキ受け梁２５、およびジャッキ２６を設置する。このジャッキ２６により、屋根架構１３を仮支持する。
この仮設支柱２０によれば、屋根架構１３の荷重は、ジャッキ２６、ジャッキ受け梁２５、昇降受け台２２、固定梁２３、マスト２１、高さ調整部１９および仮設構台１５を介して、構造体１１に伝達される。
マスト２１は、図７および図９に示すように、鉛直方向に延びる円筒形状である。このマスト２１の側面には、上下方向に沿って所定間隔おきに貫通孔８４が形成されている。また、マスト２１の側面の４箇所には、上下方向に延びる突起８５が形成されている。また、マスト２１の上端面には、全周に亘って所定間隔おきにボルト貫通孔８６が形成されている（図１５、図１７参照）。
【００２７】
昇降受け台２２は、図８に示すように、タワークレーンのマスト２１が挿通可能な環状の受け台本体３０と、受け台本体３０の下端に設けられたガイド部材４０と、受け台本体３０の下端側に設けられた下側作業床５０Ａと、受け台本体３０の上端側に設けられた上側作業床５０Ｂと、受け台本体３０の上端側に設けられて受け台本体３０をマスト２１の途中に固定する自重受けかんぬき６０と、を備える。
受け台本体３０は、図９に示すように、マスト２１を囲んで平面視で略八角形の頂点の位置に配置された４組計８本の支柱３１と、これら支柱３１の下端同士を連結する下フレーム３２と、支柱３１の上端同士を連結する上フレーム３３と、隣り合う組の支柱３１同士を連結するブレース３４と、を備える。
下フレーム３２の支柱３１の内側の側面には、支持板３５が取り付けられている（図１５、図１７参照）。
下フレーム３２の隣り合う組の支柱３１同士の間には、吊ピース３６が取り付けられている。
【００２８】
下側作業床５０Ａは、図１０に示すように、受け台本体３０の下フレーム３２に取り付けられたメッシュ状の作業床５１と、作業床５１の外周に沿って設けられた手摺５２と、を備える。
上側作業床５０Ｂは、図９に示すように、受け台本体３０の上フレーム３３に取り付けられたメッシュ状の作業床５３と、作業床５３の外周に沿って設けられた手摺５４と、を備える。
下側作業床５０Ａの作業床５１と上側作業床５０Ｂの作業床５３との間には、梯子５５が取り付けられている。また、作業床５３のうち梯子５５の直上に相当する部分は、開閉可能な蓋部５６が設けられている（図８参照）。
【００２９】
ジャッキ受け梁２５は、図９に示すように、長尺状の鋼材であり、昇降受け台２２の上フレーム３３に跨がって対角線上に仮設されている。
図１２は、ガイド部材４０の側面図および断面図である。
ガイド部材４０は、下フレーム３２から下方に延びる４つのガイド支柱４１と、マスト２１を囲んでガイド支柱４１同士を連結するガイドフレーム４２と、各ガイド支柱４１の上下２箇所に設けられてマスト２１の突起８５に当接するガイド４３と、を備える。
【００３０】
図１３は、自重受けかんぬき６０の正面図であり、図１４は、自重受けかんぬき６０の側面図である。
自重受けかんぬき６０は、受け台本体３０の支柱３１の同士の間に設けられて挿通孔６１が形成された支持部６２と、この支持部６２の挿通孔６１に挿通されたかんぬき６３と、を備える。支持部６２およびかんぬき６３には、それぞれ、貫通孔が設けられ、これら貫通孔にストッパーピン６４を挿通することで、かんぬき６３を支持部６２に仮固定することが可能となっている。また、かんぬき６３の内端側には、規制部材６５が取り付けられ、この規制部材６５が挿通孔６１の内端側に係止することで、かんぬき６３が外側に飛び出して脱落しないようになっている。
【００３１】
この自重受けかんぬき６０では、通常、図１４（ａ）に示すように、かんぬき６３を外側に突出させておき、この状態でストッパーピン６４を差し込んで、かんぬき６３がマスト２１の貫通孔８４に引っ掛からないようにしている。
しかし、例えば、昇降受け台２２を昇降させている途中に、この昇降受け台２２の昇降を一旦停止して点検を行う場合、図１４（ｂ）に示すように、ストッパーピン６４を上方に引き抜いて、かんぬき６３を内側に突出させてマスト２１の貫通孔８４に係止させる。このようにすれば、昇降受け台２２の昇降途中であっても、この昇降受け台２２をマスト２１に容易に仮支持させることができる。
【００３２】
図１５は、固定梁２３の横断面図であり、図１６は、固定梁２３の側面図である。
固定梁２３は、断面矩形状の鋼材である。この固定梁２３は、略水平に延びる下フランジ７０と、下フランジ７０から上方に延びるウエブ７１と、ウエブ７１の上端から略水平に延びる上フランジ７２と、下フランジ７０、ウエブ７１、上フランジ７２で囲まれた部分に設けられたスチフナ７３と、を備える。
固定梁２３のウエブ７１と昇降受け台２２の支持板３５とは、ボルト７４で固定されており、これにより、昇降受け台２２が固定梁２３に固定されている。
固定梁２３の下フランジ７０には、４つのボルト貫通孔７５および２つのルーズ孔７６が形成されている。ボルト貫通孔７５およびマスト２１のボルト貫通孔８６にボルト７７を挿通して締め付けるとともに、ルーズ孔７６およびマスト２１のボルト貫通孔８６にボルト７７を挿通して締め付けることで、固定梁２３がマスト２１に固定されている。
また、固定梁２３の下フランジ７０の内端側には、ピン挿通孔７８が形成されており、このピン挿通孔７８には、ストッパーピン７９が挿通可能となっている。
【００３３】
昇降受け台２２を固定梁２３から切り離す手順は、次のようになる。
ボルト７４を取り外すとともに、固定梁２３のボルト貫通孔７５に取り付けたボルト７７を取り外し、さらに、固定梁２３のルーズ孔７６に取り付けたボルト７７を緩める。
次に、図１７に示すように、固定梁２３を内側に移動する。このとき、固定梁２３の移動は、ルーズ孔７６に挿通されたボルト７７にガイドされる。
固定梁２３を移動した後、固定梁２３のピン挿通孔７８にストッパーピン７９を挿通して、ストッパーピン７９の下端側をマスト２１の内壁面に係止させる。また、固定梁２３のルーズ孔７６に取り付けたボルト７７を再度締め付ける。
【００３４】
図１８は、昇降用吊り具２４の正面図である。
昇降用吊り具２４は、マスト２１の上端面の４箇所に取り付けられる（図１０参照）。この昇降用吊り具２４は、マスト２１のボルト貫通孔８６にボルト８０で固定される支持部８１と、この支持部８１に水平方向を回転軸として回転自在に支持されるプーリ８２とを備える。
昇降用吊り具２４により昇降受け台２２を昇降させる手順は、次のようになる。
まず、昇降装置を用意する。昇降装置とは、モータあるいは人力により、所定のトルクでワイヤ８３（あるいはチェーン）を送り出しまたは引き込み可能な装置である。次に、この昇降装置を仮設構台１５上に設置し、この昇降装置のワイヤ８３を昇降用吊り具２４のプーリ８２に通して、受け台本体３０の吊ピース３６に連結する。この状態で、昇降装置でワイヤ８３を引き込むと、昇降受け台２２が上昇する。一方、昇降装置でワイヤを送り出すと、昇降受け台２２が下降する。
【００３５】
上述のステップＳ５について、図１９の仮設支柱２０の撤去手順のフローチャートを参照しながら詳述する。
ステップＳ１１では、図２０に示すように、ジャッキ２６に導入した支持力を解除して、このジャッキ２６を取り外し、昇降受け台２２の上側作業床５０Ｂの上に載せる。
ステップＳ１２では、図１８に示すように、昇降装置を昇降用吊り具２４に取り付ける。すなわち、昇降装置のワイヤ８３を昇降用吊り具２４に通して、昇降受け台２２の吊ピース３６に連結する。次に、昇降装置を駆動してワイヤ８３に張力を導入して、昇降装置により昇降受け台２２を仮支持する。
【００３６】
ステップＳ１３では、図１７に示すように、固定梁２３のボルト７４を取り外して、昇降受け台２２を固定梁２３から切り離し、固定梁２３を内側に移動し、マスト２１の上端面に仮固定しておく。
ステップＳ１４では、図２０に示すように、昇降装置を駆動してワイヤを巻き出すことで、昇降受け台２２を下降させる。このとき、昇降受け台２２上に載置されていたジャッキ受け梁２５は、マスト２１の上端面に固定された固定梁２３の上に載置される。
ステップＳ１５では、図２０に示すように、揚重機により仮設支柱２０を上に吊り上げて撤去する。つまり、昇降受け台２２を下降させたことにより、マスト２１と屋根架構１３との間に空間が形成される。よって、この空間に揚重機のブーム２７を差し込んで、マスト２１を含む仮設支柱２０を吊り上げて撤去する。
【００３７】
図２１は、高さ調整部１９の縦断面図であり、図２２は、図２１のＤ−Ｄ断面図である。
高さ調整部１９は、図２１に示すように、仮設構台１５の大引材１５２の上に設けられた調整部本体としてのベントベース９０と、ベントベース９０に昇降可能に設けられた昇降部としてのベントキャップ９１と、を備える。
【００３８】
ベントベース９０は、図２２に示すように、平面視で矩形枠状であり、四隅に設けられた４本の柱部材９０１と、柱部材９０１同士を連結する梁部材９０２と、を備える。
梁部材９０２は、上下方向に所定間隔おきに設けられており、これにより、複数の層が形成されている。このうち、最上層をｎ層とする。
柱部材９０１は、各層ごとに上下に分割可能となっている。
【００３９】
ベントキャップ９１は、図２１に示すように、ベントベース９０の内側の四隅に配置された昇降柱９２と、この昇降柱９２の上に設けられた屋根部９３と、この屋根部９３の外周縁に設けられて下方に延びるガイド９４と、を備える。
昇降柱９２は、図２１および図２２に示すように、昇降柱本体９５と、この昇降柱本体９５に設けられたジャッキ９６と、ジャッキ９６の下端に設けられた移動かんぬき９７と、昇降柱本体９５に設けられた固定かんぬき９８と、を備える。
移動かんぬき９７および固定かんぬき９８は、開閉可能であり、開いた状態では、ベントベース９０の梁部材９０２の上に係止可能となり、閉じた状態では、梁部材９０２の上から退避して昇降柱９２内に収納可能となっている。
固定かんぬき９８は、昇降柱本体９５に取り付けられており、昇降柱本体９５に対して上下に移動することはない。これに対し、移動かんぬき９７は、ジャッキ９６を駆動することにより、昇降柱本体９５に対して上下に相対移動可能である。
【００４０】
以上の高さ調整部１９の下降手順について、図２３のフローチャートを参照しながら説明する。
初期状態では、図２１に示すように、移動かんぬき９７は、第ｎ層に係止しており、固定かんぬき９８は、第（ｎ−１）層に係止している。よって、ベントキャップ９１は、移動かんぬき９７および固定かんぬき９８でベントベース９０に支持される。
【００４１】
ステップＳ２１では、図２４（ａ）に示すように、固定かんぬき９８を閉じて収納する。これにより、ベントキャップ９１は、移動かんぬき９７のみでベントベース９０に支持される。
ステップＳ２２では、図２４（ａ）に示すように、ジャッキ９６を駆動して、昇降柱９２を下降させる。これにより、ベントキャップ９１が一層分下降するとともに、固定かんぬき９８が（ｎ−２）層に移動する。
ステップＳ２３では、図２４（ｂ）に示すように、固定かんぬき９８を開いて、（ｎ−２）層に係止させる。これにより、ベントキャップ９１は、再び、移動かんぬき９７および固定かんぬき９８でベントベース９０に支持される。
ステップＳ２４では、図２４（ｂ）に示すように、移動かんぬき９７を閉じて収納する。これにより、ベントキャップ９１は、固定かんぬき９８のみでベントベース９０に支持される。
【００４２】
ステップＳ２５では、図２５（ａ）に示すように、ジャッキ９６を駆動して、移動かんぬき９７を昇降柱９２およびベントキャップ９１に対して下降させる。これにより、移動かんぬき９７は、（ｎ−１）層に移動する。
ステップＳ２６では、図２５（ａ）に示すように、移動かんぬき９７を開いて、（ｎ−１）層に係止させる。これにより、ベントキャップ９１は、再び、移動かんぬき９７および固定かんぬき９８でベントベース９０に支持される。
ステップＳ２７では、図２５（ｂ）に示すように、最上層である第ｎ層を構成する柱部材９０１および梁部材９０２を取り外して撤去する。
以上のステップＳ２１〜Ｓ２７を繰り返すことで、図７に示すような高さ調整部１９を任意の高さまで低くできる。なお、高さ調整部１９を高くする場合には、上述のステップＳ２１〜Ｓ２７を逆の順序で実行すればよい。
【００４３】
本実施形態によれば、以下のような効果がある。
（１）高さ調整部１９およびタワークレーンのマスト２１を設置し、このマスト２１体の頂部に昇降受け台２２、ジャッキ受け梁２５、およびジャッキ２６を設置することで、仮設支柱２０を設置する。その後、このジャッキ２６に仮支持させて、屋根架構１３を構築する。このとき、仮設支柱２０の設置場所によって屋根架構１３の高さが異なっても、高さ調整部１９の高さを適宜調整することで、屋根架構１３の高さの変化に容易に対応できる。
また、高さ調整部１９により仮設支柱２０が高さ調整可能となるので、仮設支柱２０を容易に移設して再利用できる。
【００４４】
（２）仮設支柱２０を移設する際には、マスト２１の頂部に設置された昇降受け台２２を下降させ、屋根架構１３とマスト２１頂部との間に隙間空間を確保することで、隙間空間に揚重機のブーム２７の先端部を挿入して、仮設支柱２０を構成するマスト２１を吊り上げて撤去できる。
また、予め架設された屋根架構であっても、マスト２１に沿って昇降受け台２２を上昇させることで、屋根架構を下から仮設支柱２０で支持できる。
（３）ベントベース９０とベントキャップ９１とを含んで高さ調整部１９を構成したので、ベントキャップ９１をベントベース９０に対して昇降させることで、高さ調整部１９の高さを容易に調整できる。
【００４５】
（４）第２ユニットＵ２および第３ユニットＵ３を地組みしておき、この地組みした第２ユニットＵ２および第３ユニットＵ３を揚重して第１ユニットＵ１に取り付けたので、屋根架構１３を短工期で構築できる。また、このとき、屋根架構１３の支持部１４、第１ユニットＵ１、および第２ユニットＵ２に跨がって仮設トラス１７を取付けたので、第２ユニットＵ２の撓みが大きくなるのを防止して、屋根架構１３の施工精度を向上できる。
（５）仮設トラス１７の他方の支点１７１Ｂを支持部１４の上に仮固定し、この状態で、仮設トラス１７の一方の支点１７１Ａに仮固定された第２ユニットＵ２を、上下方向に高さ調整し、その後、第２ユニットＵ２を第１ユニットＵ１に接合する。よって、屋根架構１３を所定の高さ位置に設置できる。
【００４６】
なお、本発明は前記実施形態に限定されるものではなく、本発明の目的を達成できる範囲での変形、改良等は本発明に含まれるものである。例えば、上述の実施形態では、高さ調整部１９を仮設構台１５上に設けたが、これに限らず、仮設構台を使用せず、高さ調整部１９を構造体１１上に直接設けてもよい。また、本発明では、仮設支柱２０を用いて屋根架構１３を構築したが、これに限らず、仮設支柱２０を用いて陸桁や梁などの横架材を構築してもよい。
【符号の説明】
【００４７】
１…競技場  １０…フィールド  １１…構造体
１２Ａ…第１層の観覧席  １２Ｂ…第２層の観覧席  １２Ｃ…第３層の観覧席
１３…屋根架構  １４…支持部（屋根架構の基部）
Ｕ１…第１ユニット（屋根架構の基部）  Ｕ２…第２ユニット（屋根架構の先端部）
Ｕ３…第３ユニット（屋根架構の先端部）  １５…仮設構台
１６…架台  １７…仮設トラス  １８…揚重機  １９…高さ調整部
２０…仮設支柱  ２１…マスト（仮設柱体）  ２２…昇降受け台
２３…固定梁  ２４…昇降用吊り具  ２５…ジャッキ受け梁
２６…ジャッキ  ２７…ブーム
３０…受け台本体  ３１…支柱  ３２…下フレーム  ３３…上フレーム
３４…ブレース  ３５…支持板  ３６…吊ピース
４０…ガイド部材  ４１…ガイド支柱  ４２…ガイドフレーム  ４３…ガイド
５０Ａ…下側作業床  ５０Ｂ…上側作業床  ５１…作業床  ５２…手摺
５３…作業床  ５４…手摺  ５５…梯子  ５６…蓋部
６０…自重受けかんぬき  ６１…挿通孔  ６２…支持部  ６３…かんぬき
６４…ストッパーピン  ６５…規制部材
７０…下フランジ  ７１…ウエブ  ７２…上フランジ  ７３…スチフナ
７４…ボルト  ７５…ボルト貫通孔  ７６…ルーズ孔  ７７…ボルト
７８…ピン挿通孔  ７９…ストッパーピン
８０…ボルト  ８１…支持部  ８２…プーリ  ８３…ワイヤ
８４…貫通孔  ８５…突起  ８６…ボルト貫通孔
９０…ベントベース（調整部本体）  ９１…ベントキャップ（昇降部）  ９２…昇降柱
９３…屋根部  ９４…ガイド  ９５…昇降柱本体  ９６…ジャッキ
９７…移動かんぬき  ９８…固定かんぬき
１５１…構台支柱  １５２…大引材
１７１Ａ、１７１Ｂ…支点  １７２…ローラー
９０１…柱部材  ９０２…梁部材
【図１】
2018178481.tif 000003
【図２】
2018178481.tif 000004
【図３】
2018178481.tif 000005
【図４】
2018178481.tif 000006
【図５】
2018178481.tif 000007
【図６】
2018178481.tif 000008
【図７】
2018178481.tif 000009
【図８】
2018178481.tif 000010
【図９】
2018178481.tif 000011
【図１０】
2018178481.tif 000012
【図１１】
2018178481.tif 000013
【図１２】
2018178481.tif 000014
【図１３】
2018178481.tif 000015
【図１４】
2018178481.tif 000016
【図１５】
2018178481.tif 000017
【図１６】
2018178481.tif 000018
【図１７】
2018178481.tif 000019
【図１８】
2018178481.tif 000020
【図１９】
2018178481.tif 000021
【図２０】
2018178481.tif 000022
【図２１】
2018178481.tif 000023
【図２２】
2018178481.tif 000024
【図２３】
2018178481.tif 000025
【図２４】
2018178481.tif 000026
【図２５】
2018178481.tif 000027